(57)【要約】【課題】  搬送されてくるロール紙に操作者の指等の障害物が触れた場合であっても、ロール紙の用紙搬送経路内での蛇行を防止することができ、印字の不具合の発生や切断の不具合の発生を防止することができるプリンタを提供する。【解決手段】  用紙排出口１６からＶ字状に昇斜面を形成し、搬送されるロール紙Ｐの内周面側に位置する第１斜面部２１及び搬送されるロール紙Ｐの外周面側に位置する第２斜面部２２と、これらの第１斜面部２１及び第２斜面部２２の間に設けられて用紙搬送部材１４による用紙搬送方向Ａに対して略平行であって搬送されるロール紙Ｐの外周面よりも外側に配置されている薄板状のレシートガイド部２３とを有するガイド部材４を、用紙排出口１６よりも用紙搬送部材１４による用紙搬送方向Ａの下流側に備える。【選択図】    図３
2005067124.tif 000002
【特許請求の範囲】
【請求項１】
長尺紙をロール状に巻回したロール紙を用紙搬送部材によって引き出しながら搬送してスリット状の用紙排出口から上方に排出するプリンタにおいて、
前記用紙排出口からＶ字状に昇斜面を形成し、搬送される前記ロール紙の内周面側に位置する第１斜面部及び搬送される前記ロール紙の外周面側に位置する第２斜面部と、これらの第１斜面部及び第２斜面部の間に設けられて前記用紙搬送部材による用紙搬送方向に対して略平行であって搬送される前記ロール紙の外周面よりも外側に配置されている薄板状のレシートガイド部とを有するガイド部材を、前記用紙排出口よりも前記用紙搬送部材による用紙搬送方向下流側に備える、
ことを特徴とするプリンタ。
【請求項２】
前記レシートガイド部と前記第１斜面部との間及び前記レシートガイド部と前記第２斜面部との間は、操作者の指が前記用紙排出口まで届かない程度に狭く構成されている、
ことを特徴とするプリンタ。
【請求項３】
キーボードと、
ディスプレイと、
請求項１または２記載のプリンタと、
を備えることを特徴とする商品販売データ処理装置。
【発明の詳細な説明】
【技術分野】
【０００１】
本発明は、レシートプリンタとして用いるのに適したプリンタ及びこのプリンタを備えるＥＣＲ（Electric Cash Register）やＰＯＳ（Point of Sales：販売時点管理）端末等の商品販売データ処理装置に関する。
【背景技術】
【０００２】
スーパーマーケット等においては、ＥＣＲ等の商品販売データ処理装置を操作する店員が、レシートの発行を待ちきれずにカッタによる切断前のレシート用紙に触れてしまうことがある。このようにカッタによる切断前のレシート用紙に触れた場合には、レシート用紙の排出方向への動きが規制されることで、レシート用紙のねじれ、撓み等が発生し、これによりレシート印字の不具合、カッタにおける切断の不具合、レシート用紙の紙詰まり等が生じるという問題がある。
【０００３】
そこで、本出願人は、特許文献１において、用紙ガイド部材をレシート排出口に設けることにより、排出方向への動きが規制されたレシート用紙を排出方向とは別方向である屈撓方向に撓みながら進行させるようにして、レシート用紙の紙詰まり等の発生を防止することを開示している。
【０００４】
【特許文献１】特開2000-143054公報
【発明の開示】
【発明が解決しようとする課題】
【０００５】
しかしながら、特許文献１によれば、排出方向とは別方向である屈撓方向に撓みながら進行するレシート用紙は大きく膨らむことになるので、操作者にとってこのように膨らんだレシート用紙（レシート）は掴みにくく、運用上の問題がある。
【０００６】
本発明は、搬送されてくるロール紙に操作者の指等の障害物が触れた場合であっても、ロール紙の用紙搬送経路内での蛇行を防止することができ、印字の不具合の発生や切断の不具合の発生を防止することができるとともに、レシートの扱いを容易にすることができるプリンタ及び商品販売データ処理装置を提供することを目的とする。
【課題を解決するための手段】
【０００７】
本発明のプリンタは、長尺紙をロール状に巻回したロール紙を用紙搬送部材によって引き出しながら搬送してスリット状の用紙排出口から上方に排出するプリンタにおいて、前記用紙排出口からＶ字状に昇斜面を形成し、搬送される前記ロール紙の内周面側に位置する第１斜面部及び搬送される前記ロール紙の外周面側に位置する第２斜面部と、これらの第１斜面部及び第２斜面部の間に設けられて前記用紙搬送部材による用紙搬送方向に対して略平行であって搬送される前記ロール紙の外周面よりも外側に配置されている薄板状のレシートガイド部とを有するガイド部材を、前記用紙排出口よりも前記用紙搬送部材による用紙搬送方向下流側に備える。
【０００８】
したがって、用紙排出口から上方に排出されたロール紙は、ロール紙の外周面よりも外側に配置されているレシートガイド部と搬送されるロール紙の内周面側に位置する第１斜面部との間を搬送されることになるが、操作者の指等の障害物がレシートガイド部と第１斜面部との間から搬送されてくるロール紙に触れた場合には、ロール紙は、障害物に当たった後にロール紙自身の巻き癖によりレシートガイド部の方向に膨らみ始める。その後、ロール紙がさらに膨らむと、ロール紙は、ロール紙のコシの強さで障害物を離れてレシートガイド部から外れる方向に滑り始める。そして、レシートガイド部は用紙搬送方向から搬送されるロール紙に対して略平行に設けられているため、ロール紙は、すぐにレシートガイド部の厚みを乗り越えてレシートガイド部を外れ、ロール紙の先端部をレシートガイド部と第２斜面部との間に向けることになる。
【発明の効果】
【０００９】
本発明によれば、操作者の指等の障害物がレシートガイド部と第１斜面部との間から搬送されてくるロール紙に触れた場合には、レシートガイド部と第２斜面部との間へとロール紙が逃げるので、ロール紙の用紙搬送経路内での蛇行を防止することができる。また、ロール紙は、すぐにレシートガイド部の厚みを乗り越えてレシートガイド部を外れるので、印字部やレシートカッタ機構に影響を与えることが無く、印字の不具合の発生や切断の不具合の発生を防止することができる。さらに、ロール紙がレシートガイド部と第２斜面部との間からその先端部を向けて搬送されるので、操作者はロール紙を容易に掴み取ることができる。
【発明を実施するための最良の形態】
【００１０】
本発明の実施の一形態を図１ないし図６に基づいて説明する。本実施の形態のプリンタは、スーパーマーケット等で使用される商品販売データ処理装置であるＥＣＲ（Electric Cash Register）に搭載されるレシートプリンタに適用された一例である。
【００１１】
ここで、図１はＥＣＲ１の構成を概略的に示す外観斜視図、図２はＥＣＲ１のレシート発行口４を拡大して示す斜視図、図３はレシートプリンタ３の構造を概略的に示す縦断側面図である。
【００１２】
図１及び図２に示すように、ＥＣＲ１には、上面に操作者の操作を受け付ける領域を備え、その操作領域には各種のキーが集合するキーボード２、内蔵されるレシートプリンタ３（図３参照）によって印字されるレシート（図示せず）を発行するレシート発行口４及びジャーナル窓５が設けられている。操作者から見て、キーボード２は右側の領域、レシート発行口４及びジャーナル窓５は左側の領域にそれぞれ配置されている。また、ＥＣＲ１の右側上方には、操作者側の表示部として機能するディスプレイ６が配置され、このディスプレイ６の近傍には客側の表示部として機能する客側ディスプレイ７が立設されている。このＥＣＲ１は、ドロワ８上に載置されて使用される。
【００１３】
図３に示すように、レシートプリンタ３には、長尺紙をロール状に巻回したロール紙であるレシート用紙Ｐを回動自在に保持する用紙収納部１０が設けられている。なお、レシート用紙Ｐは、用紙を下側から引き出すようにして用紙収納部１０に収納保持されている。このようなレシート用紙Ｐの用紙搬送方向Ａの下流側には、印字部１１が設けられている。この印字部１１には、ローラ対（図示せず）等によってレシート用紙Ｐを下側から引き出しながら略上方に搬送する用紙搬送経路１２が設けられていて、この用紙搬送経路１２を挟むようにしてサーマルプリンタヘッド１３とプラテンローラ１４とが設けられている。サーマルプリンタヘッド１３はレシート用紙Ｐの外周面に印字可能な位置に備えられ、このサーマルプリンタヘッド１３に対向してプラテンローラ１４が備えられている。また、プラテンローラ１４は、モータ（図示せず）を駆動源として回転することにより用紙搬送部材としても機能する。加えて、印字部１１の用紙搬送方向Ａの下流側には、レシートカッタ機構１５とＥＣＲ１の筐体１ａの一部により形成されるスリット状の用紙排出口であるレシート排出口１６とが設けられている。ここで、レシートカッタ機構１５は、図示しない駆動源に駆動されて動作する例えばギロチン型のオートカッタであり、レシート排出口１６よりも用紙搬送方向Ａの上流側に設けられている。したがって、レシート排出口１６から排出されたレシート用紙Ｐはその巻き癖により操作者から見て奥側に向かうことになる。
【００１４】
そして、前述したレシート発行口４は、レシート排出口１６よりも用紙搬送方向Ａの下流側に設けられている。ここで、ガイド部材として機能するレシート発行口４について詳述する。レシート発行口４には、スリット状のレシート排出口１６からＶ字状に昇斜面を形成し、搬送されるレシート用紙Ｐの内周面側に位置する第１斜面部２１及び搬送されるレシート用紙Ｐの外周面側に位置する第２斜面部２２が設けられている。また、これらの第１斜面部２１及び第２斜面部２２の間には、レシート排出口１６の横幅と略同一の横幅を有する薄板状のレシートガイド部２３が設けられている。このレシートガイド部２３は、用紙搬送方向Ａに対して略平行であって搬送されるレシート用紙Ｐの外周面よりも外側に配置されている。したがって、このレシートガイド部２３によって、レシート発行口４は２つのレシート発行口４ａ，４ｂを有することになる。つまり、レシートガイド部２３と第１斜面部２１とで構成される第１レシート発行口４ａと、レシートガイド部２３と第２斜面部２２とで構成される第２レシート発行口４ｂとである。なお、第１レシート発行口４ａ及び第２レシート発行口４ｂは、Ｖ字状に昇斜面を形成する第１斜面部２１及び第２斜面部２２により形成されていることからレシート排出口１６に近づくほど幅が狭くなっており、その幅は操作者の指がレシート排出口１６まで届かない程度に狭くなっている。
【００１５】
このような構成において、レシート用紙Ｐは、プラテンローラ１４によって用紙搬送方向Ａの下流側へと用紙搬送経路１２を案内搬送され、印字部１１のサーマルプリンタヘッド１３によって所定事項を印字される。所定事項印字後のレシート用紙Ｐは、レシートカッタ機構１５によって所定の位置で自動的に切断され、レシート排出口１６から排出されてレシートとして発行される。
【００１６】
通常、レシート排出口１６から排出されたレシート用紙Ｐは、レシート用紙Ｐ自体の巻き癖により、用紙搬送方向Ａから搬送されるレシート用紙Ｐに対して略平行な位置であってレシート用紙Ｐの巻き方向の外側に配置されているレシートガイド部２３の干渉は受けずに第１レシート発行口４ａへと搬送され、レシートカッタ機構１５による切断後にレシートとして発行される。
【００１７】
ところが、ＥＣＲ１を操作する操作者が、レシートの発行を待ちきれずにレシートカッタ機構１５によって切断される前のレシート用紙Ｐを触れてしまうことがある。ここで、発行されるレシートを早く回収するために操作者の指Ｆがレシートカッタ機構１５による切断前に第１レシート発行口４ａから搬送されてくるレシート用紙Ｐに触れた場合について、図４ないし図６を参照して説明する。図４に示すように、第１レシート発行口４ａに操作者の指Ｆ等の障害物があったときには、レシート用紙Ｐは、操作者の指Ｆに当たった後にレシート用紙Ｐ自身の巻き癖によりレシートガイド部２３の方向に膨らみ始める。その後、レシート用紙Ｐがさらに膨らむと、図５に示すように、レシート用紙Ｐは、レシート用紙Ｐのコシの強さで操作者の指Ｆを離れてレシートガイド部２３から外れる方向に滑り始める。そして、レシートガイド部２３は用紙搬送方向Ａから搬送されるレシート用紙Ｐに対して略平行に設けられているため、レシート用紙Ｐは、図６に示すように、すぐにレシートガイド部２３の厚みを乗り越えてレシートガイド部２３を外れ、レシート用紙Ｐの先端部を第２レシート発行口４ｂに向けることになる。すなわち、レシート用紙Ｐが第２レシート発行口４ｂからその先端部を向けて搬送されるので、操作者は発行されたレシートを容易に掴み取ることができる。
【００１８】
したがって、発行されるレシートを早く回収するために操作者の指Ｆがレシートカッタ機構１５による切断前に第１レシート発行口４ａから搬送されてくるレシート用紙Ｐに触れた場合には、第１レシート発行口４ａとは別の第２レシート発行口４ｂへとレシート用紙Ｐが逃げるので、レシート用紙Ｐの用紙搬送経路１２内での蛇行を防止することができる。また、レシート用紙Ｐは、すぐにレシートガイド部２３の厚みを乗り越えてレシートガイド部２３を外れるので、印字部１１やレシートカッタ機構１５に影響を与えることが無く、印字の不具合の発生や切断の不具合の発生を防止することができる。
【００１９】
なお、本実施の形態のレシートプリンタ３は、レシート排出口１６から排出されたレシート用紙Ｐはその巻き癖により操作者から見て奥側に向かう構成としたが、これに限るものではなく、レシートプリンタ３は、レシート排出口１６から排出されたレシート用紙Ｐはその巻き癖により操作者から見て手前側に向かうような構成であっても良い。この場合、搬送されるレシート用紙Ｐの内周面側に位置する第１斜面部２１は、操作者から見て手前側に位置し、搬送されるレシート用紙Ｐの外周面側に位置する第２斜面部２２は、操作者から見て奥側に位置することになる。
【図面の簡単な説明】
【００２０】
【図１】本発明の実施の一形態のＥＣＲの構成を概略的に示す外観斜視図である。
【図２】ＥＣＲのレシート発行口を拡大して示す斜視図である。
【図３】レシートプリンタの構造を概略的に示す縦断側面図である。
【図４】レシートカッタ機構による切断前に第１レシート発行口から搬送されてくるレシート用紙に触れた場合の第一の状態を示す縦断側面図である。
【図５】レシートカッタ機構による切断前に第１レシート発行口から搬送されてくるレシート用紙に触れた場合の第二の状態を示す縦断側面図である。
【図６】レシートカッタ機構による切断前に第１レシート発行口から搬送されてくるレシート用紙に触れた場合の第三の状態を示す縦断側面図である。
【符号の説明】
【００２１】
１…商品販売データ処理装置、２…キーボード、３…プリンタ、４…ガイド部材、６，７…ディスプレイ、１４…用紙搬送部材、１６…用紙排出口、２１…第１斜面部、２２…第２斜面部、２３…レシートガイド部、Ａ…用紙搬送方向、Ｐ…ロール紙
【図１】
2005067124.tif 000003
【図２】
2005067124.tif 000004
【図３】
2005067124.tif 000005
【図４】
2005067124.tif 000006
【図５】
2005067124.tif 000007
【図６】
2005067124.tif 000008